(57)【要約】【課題】電子番組ガイドデータを用いてユーザーが指定予約した番組のファンの回転数を抑えて、ファンが発生する音を低くする。【解決手段】送信番組データに電子番組ガイドデータが付加された信号を受信する信号受信部３と、信号受信部３から出力された電子番組データを入力するＥＰＧデータ処理部６と、ユーザーが予約指定した番組情報を記憶するデータ記録部８と、ＥＰＧデータ処理部６から出力された電子番組ガイドデータとデータ記録部８に記録されているユーザーが予約指定した番組情報が一致しているかを比較判定し、判定結果信号を出力するデータ比較部７と、データ比較部７から入力した判定結果信号をもとに、ファンの回転数を決定し、ファンの回転数を制御する信号を出力するパネル制御部９と、パネル制御部９から入力した信号に応じてファンを制御するファン制御部１０を備えた。【選択図】図１
2008306249.tif 000002
【特許請求の範囲】
【請求項１】
送信番組データに電子番組ガイドデータが付加された信号を受信する信号受信部と、前記信号受信部から出力された電子番組データを入力するＥＰＧデータ処理部と、ユーザーが予約指定した番組情報を記憶するデータ記録部と、前記ＥＰＧデータ処理部から出力された電子番組ガイドデータと前記データ記録部に記録されているユーザーが予約指定した番組情報が一致しているかを比較判定し、判定結果信号を出力するデータ比較部と、前記データ比較部から入力した判定結果信号をもとに、ファンの回転数を決定し、ファンの回転数を制御する信号を出力するパネル制御部と、前記パネル制御部から入力した信号に応じて前記ファンを制御するファン制御部とを備えたプラズマディスプレイ装置。
【請求項２】
前記パネル制御部は、ファンの回転数に応じて輝度を制御する信号を出力し、前記パネル制御部から出力された輝度制御信号をもとに輝度を制御する映像調整部をさらに備えた請求項１記載のプラズマディスプレイ装置。
【発明の詳細な説明】
【技術分野】
【０００１】
本発明は、プラズマディスプレイパネルに表示させるための周辺回路を冷却するファンを備えたプラズマディスプレイ装置に関するものである。
【背景技術】
【０００２】
プラズマディスプレイパネルに表示させるための周辺回路を冷却するファンを備えたプラズマディスプレイ装置において、ファンの回転によって発生する音が騒音問題のひとつとなっている。
【０００３】
従来、プラズマディスプレイ装置において、温度センサで、周辺環境温度や電源回路部からの発熱を検出し、周辺環境温度に対する適切輝度を決定して輝度制御を行うとともに冷却を目的としたファンを制御する方法が知られている（特許文献１参照）。
【特許文献１】特開２００２−３０４１５０号公報
【発明の開示】
【発明が解決しようとする課題】
【０００４】
上述のように温度などの外的要因によって、ファンの回転数を制御することで、ファンの回転により発生する騒音を抑制する方法では、番組を視聴するユーザーの要求に応じてファン制御ができないため、例えば、クラシック音楽を演奏する番組のような音楽を聴くことを楽しむ番組や深夜の時間帯で静音の環境が求められる状況での番組視聴時では、光や温度に変化がない限り、ファンの回転数を制御して騒音を抑えることができない。
【０００５】
本発明は、電子番組ガイド（ＥＰＧ：Ｅｌｅｃｔｒｉｃａｌ  Ｐｒｏｇｒａｍ  Ｇｕｉｄｅ）を用いて、ユーザーが予約指定した特定の番組、番組ジャンル、チャンネル又は番組放送時間帯によってファンの回転数を制御し、ファンが発生する騒音を抑えることを目的とする。
【課題を解決するための手段】
【０００６】
上記課題を解決するために本発明は、送信番組データに電子番組ガイドデータが付加された信号を受信する信号受信部と、前記信号受信部から出力された電子番組データを入力するＥＰＧデータ処理部と、ユーザーが予約指定した番組情報を記憶するデータ記録部と、前記ＥＰＧデータ処理部から出力された電子番組ガイドデータと前記データ記録部に記録されているユーザーが予約指定した番組情報が一致しているかを比較判定し、判定結果信号を出力するデータ比較部と、前記データ比較部から入力した判定結果信号をもとに、ファンの回転数を決定し、ファンの回転数を制御する信号を出力するパネル制御部と、前記パネル制御部から入力した信号に応じて前記ファンを制御するファン制御部とを備えたことを特徴とする。
【発明の効果】
【０００７】
本発明のプラズマディスプレイ装置は、電子番組データを入力するＥＰＧデータ処理部とユーザーが予約指定した番組情報を記憶するデータ記録部とＥＰＧデータ処理部から出力された電子番組ガイドデータとデータ記録部に記録されているユーザーが予約指定した番組情報が一致しているかを比較判定し、判定結果信号を出力するデータ比較部とデータ比較部から入力した判定結果信号をもとに、ファンの回転数を決定し、ファンの回転数を制御する信号を出力するパネル制御部を備えたことにより、ユーザーが電子番組ガイドデータを用いて、静音環境での番組視聴を予約指定した特定の番組、番組ジャンル、チャンネル又は番組放送時間帯によって、ファンの回転数を制御し、ファンが発する騒音を抑えることができる。
【発明を実施するための最良の形態】
【０００８】
図１は本発明の一実施の形態によるプラズマディスプレイ装置を示したブロック図である。プラズマディスプレイ装置１において、アンテナ２から受信した番組データに電子番組ガイドデータが付加された信号を受信する信号受信部３は、番組データと電子番組ガイドデータを分離し、番組データを信号処理部４に、電子番組ガイドデータをＥＰＧデータ処理部６に出力する。信号処理部４は、信号受信部３から入力した番組データから映像信号を生成し、プラズマディスプレイパネル５に出力する。プラズマディスプレイパネル５は信号処理部４から入力した映像信号を画面に表示する。
【０００９】
信号受信部３から電子番組データを入力したＥＰＧデータ処理部６は、データ比較部７とユーザー入力処理部１２へ電子番組データを出力する。ユーザーが静音環境で視聴する番組を予約指定する際に、ユーザー入力処理部１２は、ＥＰＧデータ処理部６から入力した電子番組データをプラズマディスプレイパネル５に出力することで、静音環境で視聴したい番組を選択する番組選択画面を表示し、ユーザーはタッチパネルやリモコンによるカーソル移動操作によって静音環境で視聴したい番組を予約指定する。ユーザー操作内容は、ユーザー入力受信部１３が受信し、ユーザー入力処理部１２へ出力する。
【００１０】
ユーザー操作内容を入力したユーザー入力処理部１２は、プラズマディスプレイパネル５へユーザー操作内容を反映させた番組選択画面を出力し、プラズマディスプレイパネル５はユーザー操作内容を反映させた番組選択画面を表示する。ユーザーが予約指定した番組情報は、ユーザー入力処理部１２からデータ記録部８に出力される。
【００１１】
データ記録部８は、ユーザー入力処理部１２から入力されたユーザー選択番組情報を保持するとともに、データ比較部７へ出力する。データ比較部７は、ＥＰＧデータ処理部６から入力した電子番組ガイドデータとデータ記録部８から入力したユーザー選択番組情報を比較判定し、一致している場合は、ファン１１の回転数を抑える要求信号を、一致していない場合は、ファン１１を通常回転で動作させる要求信号をパネル制御部９に出力する。パネル制御部９は、データ比較部７から入力したファンを通常回転させる、もしくは回転を抑える要求信号をもとに、ファンの回転数を決定し、ファンの回転数情報をファン制御部１０に出力する。ファン制御部１０は、パネル制御部９から入力したファンの回転数情報からファンを制御する。
【００１２】
なお、データ記録部８は、安価な記憶媒体であるビデオテープによる磁気的記録装置や低消費電力な記憶媒体である不揮発性メモリのような電子的記録装置や大容量の記憶媒体であるＤＶＤのような光学的記録装置として予約指定した番組情報を記憶する。
【００１３】
次に、ユーザーが視聴する番組で静音設定をする際の番組選択画面の例について図２を用いて説明する。番組選択画面２１のように横欄に受信チャンネル（ＣＨ）の番号が１０１、１０２、１０３、１０４と表示され、縦欄に時刻が１７時から２３時まで表示され、それぞれのチャンネル及び時刻に対応する番組名称が表示される。ユーザーはこのような番組表示を見ながら、ファンが発生する騒音を小さくするために静音設定したい番組をタッチパネルやリモコンによるカーソル操作によって選択する。選択した番組は、画面上で選択したことをユーザーが認識できるように、例えば、１７時にＣＨ１０２の音楽番組が選択されたとすると、音楽番組の表示背景の色が変化するとともに、「静」の文字が表示される。
【００１４】
また、ユーザーが選択できるのは一意の番組だけでなく、縦欄の時刻や横欄のチャンネルを選択することも可能であり、例えば、２３時放送の番組やＣＨ１０３の番組を選択した場合、選択した番組放送時間帯やチャンネルの番組の表示背景色が横一列もしくは縦一列変化するとともに、番組ごとに「静」の文字が表示される。また、ユーザーが選択できるのは、特定の番組やチャンネル、番組放送時間帯だけでなく、番組ジャンルによっても選択することが可能であり、図３のような番組ジャンル選択画面で、タッチパネルやリモコンによるカーソル操作によって、番組ジャンルを選択することができ、選択された番組ジャンルの背景色が変化し、選択した番組ジャンルの静音設定がされる。例えば番組ジャンル選択画面２２で「映画」の番組ジャンルを選択した後、番組選択画面２１を表示すると、番組ジャンル「映画」に該当する番組の背景色が変化している。
【００１５】
次に、本発明の他の実施の形態によるプラズマディスプレイ装置について図４を用いて説明する。本実施の形態によるプラズマディスプレイ装置において、上記実施の形態と異なる点は、輝度を調整する映像調整部１４を備えている点である。パネル制御部９は、映像調整部１４にファン１１の回転数に応じて輝度調整値を出力し、映像調整部１４は、パネル制御部９から入力した輝度調整値データと信号処理部４から入力した映像信号の輝度データをもとに、プラズマディスプレイパネル５に表示する映像輝度を決定し、信号処理部４に輝度データを出力することを備えている。
【００１６】
これにより、ファンの回転数を抑えた場合に輝度を低くすることができるために、ファンの回転数を抑えた場合にプラズマディスプレイ装置の冷却効果が弱まるが、輝度を低くすることでプラズマディスプレイ装置の発熱量を抑えることができる。
【産業上の利用可能性】
【００１７】
本発明のプラズマディスプレイ装置は、電子番組データを入力するＥＰＧデータ処理部とユーザーが予約指定した番組情報を記憶するデータ記録部とＥＰＧデータ処理部から出力された電子番組ガイドデータとデータ記録部に記録されているユーザーが予約指定した番組情報が一致しているかを比較判定し、判定結果信号を出力するデータ比較部とデータ比較部から入力した判定結果信号をもとに、ファンの回転数を決定し、ファンの回転数を制御する信号を出力するパネル制御部を備えたことにより、ユーザーが電子番組ガイドデータを用いて、静音環境での番組視聴を予約指定した特定の番組、番組ジャンル、チャンネル又は番組放送時間帯によって、ファンの回転数を制御し、ファンが発する騒音を抑えることができる。
【図面の簡単な説明】
【００１８】
【図１】本発明の一実施の形態によるプラズマディスプレイ装置の構成を示したブロック図
【図２】番組選択画面の一例を示す説明図
【図３】番組ジャンル選択画面の一例を示す説明図
【図４】本発明の他の実施の形態によるプラズマディスプレイ装置の構成を示したブロック図
【符号の説明】
【００１９】
１  プラズマディスプレイ装置
２  アンテナ
３  信号受信部
４  信号処理部
５  プラズマディスプレイパネル
６  ＥＰＧデータ処理部
７  データ比較部
８  データ記録部
９  パネル制御部
１０  ファン制御部
１１  ファン
１２  ユーザー入力処理部
１３  ユーザー入力受信部
１４  映像調整部
２１  番組選択画面
２２  番組ジャンル選択画面
【図１】
2008306249.tif 000003
【図４】
2008306249.tif 000004
【図２】
2008306249.tif 000005
【図３】
2008306249.tif 000006